(57)【要約】【課題】簡単安価な構成により音声データの多重化印刷を行えるようにする。【解決手段】ハンドセット１２から入力された応答メッセージ、あるいは回線１１から入力された音声をＡＤＰＣＭ符号化部１３でデジタル符号化する。第１のモード（留守番電話）においては、デジタル符号化された音声データは、フラッシュメモリ１４に記録する。第２のモード（多重化印刷）においては、デジタル符号化された音声データは、印刷出力すべき画像データに多重化して印刷処理部１７により印刷出力させる。また、多重化印刷された音声データは読取処理部１８で読み取り、ＡＤＰＣＭ復号化部２１で復号化し、スピーカ２２で再生する。【選択図】図１（ｄ）
2008236564.tif 000002
【特許請求の範囲】
【請求項１】
画像データの画像表現に関係しないデータを該画像データに多重化し、多重化された画像データを印刷出力する印刷手段と、
音声を入力する音声入力手段と、
前記音声入力手段から入力された音声をデジタル符号化するデジタル符号化手段と、
前記デジタル符号化手段によりデジタル符号化された音声データを音声通信データとして入出力する音声通信手段と、
を有する印刷装置において、さらに
第１のモードにおいては前記デジタル符号化手段によりデジタル符号化された音声データを前記音声通信手段により音声通信データとして入出力させ、第２のモードにおいては前記デジタル符号化手段によりデジタル符号化された音声データを前記印刷手段により印刷出力すべき画像データに多重化して印刷出力させる制御手段を有することを特徴とする印刷装置。
【請求項２】
請求項１に記載の印刷装置において、前記第１のモードと第２のモードのいずれかが実行されるよう排他的に制御されることを特徴とする印刷装置。
【請求項３】
請求項２に記載の印刷装置において、前記第１のモードまたは第２のモードが実行されている時、他の第２のモードまたは第１のモードが起動された場合、当該の起動されたモードを実行できないことをユーザに通知することを特徴とする印刷装置。
【請求項４】
請求項１に記載の印刷装置において、前記第１のモードが留守番電話モードであり、前記音声通信手段は通信回線から受信した相手側の音声データ、または前記音声入力手段から入力した応答音声データを前記デジタル符号化手段によりデジタル符号化し、録音媒体に記録することを特徴とする印刷装置。
【請求項５】
請求項１に記載の印刷装置において、前記第１のモードが外部のデジタル電話機と通信回線の間の通信を中継するデジタル電話通信であり、前記音声通信手段は前記デジタル電話機から受信した音声データを前記デジタル符号化手段によりデジタル符号化し、前記通信回線に送信することを特徴とする印刷装置。
【請求項６】
請求項１に記載の印刷装置において、音声データが多重化された印刷物の画像データを読み取る読み取り手段と、該画像データから多重化されている音声データを抽出する抽出手段と、抽出した音声データをデジタル復号化する手段と、デジタル復号化した音声をスピーカから出力する手段を有することを特徴とする印刷装置。
【請求項７】
請求項５に記載の印刷装置において、音声データが多重化された印刷物の画像データを読み取る読み取り手段と、該画像データから多重化されている音声データを抽出する抽出手段と、抽出した音声データをデジタル無線電話機に送信する送信手段を有し、前記デジタル無線電話機で該音声データをスピーカから出力させることを特徴とする印刷装置。
【請求項８】
画像データの画像表現に関係しないデータを該画像データに多重化し、多重化された画像データを印刷出力する印刷手段と、音声を入力する音声入力手段と、前記音声入力手段から入力された音声をデジタル符号化するデジタル符号化手段と、前記デジタル符号化手段によりデジタル符号化された音声データを音声通信データとして入出力する音声通信手段と、を有する印刷装置の制御方法において、
第１のモードにおいては前記デジタル符号化手段によりデジタル符号化された音声データを前記音声通信手段により音声通信データとして入出力させ、第２のモードにおいては前記デジタル符号化手段によりデジタル符号化された音声データを前記印刷手段により印刷出力すべき画像データに多重化して印刷出力させることを特徴とする印刷装置の制御方法。
【請求項９】
請求項８に記載の印刷装置の制御方法において、前記第１のモードと第２のモードのいずれかが実行されるよう排他的に制御されることを特徴とする印刷装置の制御方法。
【請求項１０】
請求項９に記載の印刷装置の制御方法において、前記第１のモードまたは第２のモードが実行されている時、他の第２のモードまたは第１のモードが起動された場合、当該の起動されたモードを実行できないことをユーザに通知することを特徴とする印刷装置の制御方法。
【請求項１１】
請求項８〜１０のいずれか１項に記載の印刷装置の制御方法を実施すべく、印刷装置の構成ハードウェアを制御することを特徴とする印刷装置の制御プログラム。
【発明の詳細な説明】
【技術分野】
【０００１】
本発明は、画像データの画像表現に関係しないデータを該画像データに多重化し、多重化された画像データを印刷出力する印刷装置、印刷装置の制御方法、および印刷装置の制御プログラムに関するものである。
【背景技術】
【０００２】
近年普及が著しいインクジェットプリンタやインクジェット複合機においては、いわゆる情報多重化、すなわち、画像データの画像表現に関係しないデータを該画像データに多重化して印刷する技術が開発されている。この多重化印刷の用途としては、著作権情報、機種情報、音声データなどの情報を目には見えない（または見えずらい）状態で印刷画像内に付与するために用いることが考えられている。
【０００３】
たとえば、下記の特許文献１には、誤差拡散処理における量子化閾値の変化の周期を利用して、効率的に情報を多重化する構成が開示されており、この構成によるとはがき１枚あたり数十ｋｂｐｓ程度の情報を多重化することが可能である。
【０００４】
また、多重化して印刷する情報としては、下記の特許文献２に示されるように、音声情報、テキスト文書情報を始めとするさまざまな可能性が考えられている。
【０００５】
また、音声データを印刷する構成として、下記の特許文献３にマイクを用いて音声を入力し、入力された音声データを圧縮符号化してから印刷データを生成する構成が開示されている。
【０００６】
印刷装置で音声を多重化印刷するには、図８に示すような構成が考えられる。図８において、符号８０１はＣＰＵ、８０２はデータバス、８０３はＲＯＭ、８０４はＲＡＭ、８０５はＰＣインターフェイス部である。また、符号８０６は操作部、８０７はマイク、８０８は圧縮符号化部、８０９は情報多重化部、８１０は所定の記録方式に基づき構成されたプリンタエンジンからなる印刷処理部である。
【０００７】
図８の構成において、マイク８０７から入力された音声は圧縮符号化部８０８でデジタル符号化され、情報多重化部８０９で印刷データと多重化処理された上で、印刷処理部８１０で印刷される。
【０００８】
また、下記の特許文献４には、留守番電話機能を持つファクシミリ装置において、留守番電話に録音されたメッセージをデジタル変換してプリントする構成が開示されている。
【０００９】
特許文献４におけるような留守番電話機能を実現するには、図９のような構成が考えられる。図９において、符号９０１はＣＰＵ、９０２はデータバス、９０３はＲＯＭ、９０４はＲＡＭ、９０５は表示部である。また、符号９０６は操作部、９０７は通信回線、９０８は通信回線インターフェイス部、９０９はデジタル符号化部、９１０は上述と同様の印刷処理部である。
【００１０】
図９において、装置が留守モードに設定されている時に着信があると、通信回線９０７から通信回線インターフェイス部９０８を介して入力された音声がデジタル符号化部９０９でデジタル符号化される。デジタル符号化されたデジタルデータは、データ内容に従った印刷パターンに変換され、印刷処理部９１０で印刷される。
【特許文献１】特許第３５９９６２１号公報
【特許文献２】特開２００３−１１０８４４号公報
【特許文献３】特開平１１−１２０２７５号公報
【特許文献４】特開平１０−７９８２４号公報
【発明の開示】
【発明が解決しようとする課題】
【００１１】
しかしながら、上述のような従来の音声多重化印刷技術においては、以下のような問題があった。
【００１２】
特許文献３のようにマイクを用いて音声を入力して音声を多重化する構成では、音声多重化処理のためにデジタル符号化回路を搭載する必要があり、装置のコストアップを避けることができないものであった。
【００１３】
また、特許文献４のように留守番電話メッセージを印刷する場合、自由にメッセージを入力できないという問題があり、また、画像に多重化して音声データを印刷することを想定しているものではなかった。さらに、特許文献４のような構成では電話回線を通してしかメッセージを録音できないため、単に音声を記録したいだけなら、通信料金が発生すると同時に音声多重化処理に手間がかかるという問題があった。しかも、音声多重化印刷の用途として有効であると考えられる年賀状などの印刷物に音声を多重化することは不可能であった。
【００１４】
本発明の課題は、上記の問題を解決し、簡単安価な構成により音声データの多重化印刷を行えるようにすることにある。
【課題を解決するための手段】
【００１５】
以上の課題を解決するため、本発明においては、画像データの画像表現に関係しないデータを該画像データに多重化し、多重化された画像データを印刷出力する印刷手段と、音声を入力する音声入力手段と、前記音声入力手段から入力された音声をデジタル符号化するデジタル符号化手段と、前記デジタル符号化手段によりデジタル符号化された音声データを音声通信データとして入出力する音声通信手段と、を有する印刷装置、その制御方法、およびその制御プログラムにおいて、第１のモードにおいては前記デジタル符号化手段によりデジタル符号化された音声データを前記音声通信手段により音声通信データとして入出力させ、第２のモードにおいては前記デジタル符号化手段によりデジタル符号化された音声データを前記印刷手段により印刷出力すべき画像データに多重化して印刷出力させる構成を採用した。
【発明の効果】
【００１６】
以上の構成によれば、第１のモードと第２のモードで、デジタル符号化手段を使い分け、各モード専用のデジタル符号化手段を追加することなく、デジタル音声データを音声通信において入出力し、また、多重化印刷出力することができる。
【発明を実施するための最良の形態】
【００１７】
以下、本発明の好ましい実施例の一例として、音声データを多重化印刷できる印刷装置、あるいはさらに音声通信機能と留守番電話機能を有する印刷装置に関する実施例を示す。
【実施例１】
【００１８】
図１（ａ）、図１（ｂ）は、本発明を採用した印刷装置の外観およびその要部を示している。本実施例の印刷装置は音声通信機能と留守番電話機能を有するものである。
【００１９】
図１（ａ）は印刷装置の外観を示しており、同図において、３１は操作部、３２は表示部、３３は排紙トレイ、３４はメモリカード接続部である。また、符号３５は原稿給紙部、３６は原稿置き台である。また、図１（ａ）では不図示であるが、この他に音声通信のためのハンドセット、スピーカが設けられる。
【００２０】
図１（ｂ）は、上記の操作部３１の構成を詳細に示している。同図において、符号１３７は電源キー、１３８はコピーモードに設定するためのコピーキー、１３９はスキャナモードに設定するためのスキャナキー、１４０はメモリカードを使用するモードに設定するためのメモリカードキーである。
【００２１】
また、符号１４１はエラー表示ランプ、３２は液晶表示部、１４３はメニューを表示する時に使用するメニューキー、１４４は用紙サイズなどを設定する用紙設定キー、１４５はストップキーである。１４６、１４７はそれぞれオートシートフィーダーランプ、カセットランプで、給紙部の選択状態を表示する。
【００２２】
符号１４８は日付指定キーであり、印刷すべき画像データ、例えばユーザがメモリカードの写真を選択する時に使用する。
【００２３】
符号１４９は留守キーであり、ユーザが留守番電話モードを設定する時に使用する。
【００２４】
符号１５０は録音キーであり、ユーザが留守番電話の応答メッセージを入力する時に使用する。
【００２５】
符号１５１は一つ前のメニューや画面に戻るためのキー、１５２は操作を確定する時に使用するセット（ＯＫ）キー、１５３は表示されたメニューをスクロールするための十字キーである。
【００２６】
また、符号１５４は印刷画像のトリミングを指定するトリミングキー、１５５はモノクロコピーのスタートキー、１５６はカラーコピーのスタートキーである。
【００２７】
符号１６０は、後述の留守番電話機能において留守番電話メッセージの再生に用いられる再生キーである。
【００２８】
図１（ｃ）は本発明を実施した印刷装置の制御回路の構成を示している。同図において、符号１は印刷装置各部の制御を行うＣＰＵ、２はデータ／アドレスバス、３はＲＯＭ、４はＲＡＭである。
【００２９】
ＣＰＵ１はデータ／アドレスバス２を経由してＲＯＭ３およびＲＡＭ４にアクセスし、ＲＯＭ３に格納されているプログラムを実行することにより印刷装置を動作させるものである。後述の制御手順は、例えばこのＲＯＭ３に格納しておくことができる。
【００３０】
符号５は表示部であり、この表示部５（図１の３２）は例えばＱＶＧＡサイズの２．５インチ液晶ディスプレイにより構成され、ユーザーに対して種々のメッセージを表示する。
【００３１】
符号６は操作部であり、この操作部６（図１の３１）はユーザーが装置を操作する際に使用する各種のキーから構成されている。
【００３２】
符号７はメモリカードインターフェイス部であり、デジタルカメラなどで撮影された写真画像の入ったメモリカードを接続することができる。
【００３３】
符号８はアナログ信号切り替え回路であり、ハンドセット１２、スピーカ２２、通信回線１１などとの間で送受信されるアナログ音声信号の入出力先を切り替える機能を有する。ハンドセット１２は、マイクおよびスピーカ等から構成され、本実施例では特に音声入力手段として機能する。
【００３４】
符号９はＦＡＸモデム、１０は通信回線インターフェイス部、１１は通信回線であり、これらのブロックによって通信回線を介してファクシミリ送受信（たとえばＧ３方式）を行うことができる。
【００３５】
符号１２はハンドセットであり、通信回線１１を介して通話をしたり、留守番電話のメッセージを録音したりすることができる。
【００３６】
符号１３は、デジタル符号化手段としてのＡＤＰＣＭ符号化部であり、音声信号をデジタル変換した上で、３２ｋｂｐｓまたは１６ｋｂｐｓのデジタル符号化信号に圧縮処理するものである。通信回線１１から入力されるメッセージを圧縮したり、ハンドセット１２から入力される音声を圧縮したりするために使用される。
【００３７】
符号１４はフラッシュメモリ（フラッシュＲＯＭ）であり、通信回線１１から入力される留守番電話メッセージやハンドセット１２から入力される留守番電話用の応答メッセージを格納する。
【００３８】
符号１５は情報多重化処理部であり、デジタル符号化された音声データを印刷データに多重化する処理を行う。デジタル符号化された音声データを印刷データに多重化する際の多重化フォーマットは任意であり、本発明はこの多重化フォーマットにより限定されるものではない。本実施例では、例えば、上記特許文献１に記載のように、音声データで誤差拡散処理の量子化閾値を切り替えることにより情報多重化を行なうものとする。
【００３９】
符号１６は音声データ切り替え部であり、ＡＤＰＣＭ符号化部１３で符号化された音声をフラッシュメモリ１４に入力するか、情報多重化処理部１５に入力するかを切り替えるものである。音声データ切り替え部１６はハードロジックで構成することもできるが、ＣＰＵ１によりファームウェア制御によってＡＤＰＣＭ符号化部１３で符号化されたデータのハンドリングを行うことにより同一の機能を実現するようにしてもよい。
【００４０】
符号１７は、多重化印刷を行なう印刷手段のエンジン部としての印刷処理部であり、メモリカードインターフェイス部７から入力された画像を印刷したり、音声を多重化した画像を印刷したりする機能を有するものである。印刷処理部１７は、所定の印刷方式（電子写真方式、インクジェット方式など任意）のプリンタエンジンから構成される。
【００４１】
符号１８は画像読み取り手段として機能する読み取り処理部であり、紙原稿を読み取るＣＩＳ（Ｃｏｎｔａｃｔ  Ｉｍａｇｅ  Ｓｅｎｓｏｒ）、原稿搬送系などから構成される。
【００４２】
符号１９は情報抽出部であり、読み取った原稿から音声などの多重化されたデータを抽出する処理を行うものである。
【００４３】
符号２０は音声データ切り替え部であり、フラッシュメモリ１４に格納されている音声データと情報抽出部１９で抽出された音声データのどちらをＡＤＰＣＭ復号処理するかを切り替え制御するものである。
【００４４】
符号２１はＡＤＰＣＭ復号化部であり、ＡＤＰＣＭ符号化されているデータを復号化してアナログ信号に変換するものである。
【００４５】
符号２２は音声信号やトーン信号を出力するスピーカである。
【００４６】
本実施例の印刷装置では、上述のように音声通信機能を実現する音声通信手段が含まれ、第１のモードでは音声通信に係る音声データをデジタル化して入出力し、第２のモードでは音声データをデジタル化して多重化印刷する。
【００４７】
本実施例では、第１のモードの動作として、特に留守番電話応答メッセージ録音動作、および留守番電話メッセージ録音動作を例示する。
【００４８】
図１（ｄ）は、上記構成における音声多重化印刷動作、留守番電話応答メッセージ録音動作、および留守番電話メッセージ録音動作の様子を示している。図中の（１）〜（３）の破線は、音声多重化印刷動作（１）、留守番電話応答メッセージ録音動作（２）、留守番電話メッセージ録音動作（３）のそれぞれの動作を行う時の音声データの流れを示している。
【００４９】
図４（ａ）〜図４（ｃ）は、上記の印刷装置における音声多重化印刷時の制御手順を示している。図示の手順はＣＰＵ１の制御プログラムとして記述され、ＲＯＭ３などにあらかじめ格納しておくことができる（後述の各フローチャートも同様）。
【００５０】
以下、図４に基づき、音声データを情報多重化して印刷する場合の動作を説明する。ここでは、写真データに音声データを情報多重化して印刷する動作を例示する。写真データは、例えばメモリカードインターフェイス部７に装填されたメモリカードに格納されているものとする。
【００５１】
このような印刷処理は、たとえば音声データ付きの年賀状の作成などに利用することができる。
【００５２】
ユーザーがメニューキー１４３を押下すると、印刷装置は使用可能な機能として「コピー」「写真印刷」「音声多重印刷」「スキャナ」と表示する。ユーザーにより十字キー１５３を使って「音声多重印刷」が選択され、セットキー１５２が押下されると、音声多重印刷機能を起動する（図４のステップＳ４０１）。
【００５３】
音声多重印刷処理を行う間、ＡＤＰＣＭ符号化部１３を使用する必要があるため、資源の競合の発生を防ぐために、ＡＤＰＣＭ符号化部１３を使用する他の機能、特に留守番電話機能の起動を禁止する（ステップＳ４０４）。
【００５４】
このような禁止設定を行なうことにより、音声多重印刷機能を起動している間に留守番電話用応答メッセージを録音する動作をユーザーが起動しようとする時には警告音を鳴らし、録音動作をできないようにする。また、留守モードに設定されている状態で通信回線から着信があった時にも留守番電話機能を起動しないよう制御する。
【００５５】
さらに、ＡＤＰＣＭ符号化部１３とＡＤＰＣＭ復号化部２１がそれぞれ情報多重化部１５と情報抽出部１９に接続されるように、音声データ切り替え部１６及び２０の接続設定を切り替える（ステップＳ４０５）。
【００５６】
続いて、印刷装置はメモリカードインターフェイス部７にアクセスし、メモリカードの有無を確認する（ステップＳ４０６）。もしもメモリカードからデータを読み込めない場合には、「メモリカードに画像がありません」と表示して、音声多重印刷機能を終了する（ステップＳ４０７）。
【００５７】
メモリカードから画像データを読み込むことができた場合には、メモリカードからサムネイル画像を読み込んで画面に表示し、音声多重化印刷する写真をユーザーに選択するよう促す。ユーザーが印刷する写真を選択すると（ステップＳ４０８）、「セットキーを押すと録音を開始します」と表示し、録音できる状態になったことをユーザーに通知する（ステップＳ４０９）。
【００５８】
ユーザーがセットキー１５２を押下すると（ステップＳ４１０）、ハンドセット１２から入力された音声はアナログ信号切り替え回路８を経由してＡＤＰＣＭ符号化部１３に入力される。ＡＤＰＣＭ符号化部１３においては、入力された音声信号を８ｋＨｚの周波数でサンプリングしてデジタル符号化して６４ｋｂｐｓのデータを生成する。さらに生成したデータを圧縮して１６ｋｂｐｓのＡＤＰＣＭデジタル符号化データを生成する（ステップＳ４１１）。
【００５９】
音声多重印刷機能が起動している時は、音声データ切り替え部１６に入力される音声データは情報多重化処理部１５に出力され、情報多重化処理部１５内のメモリに格納される（ステップＳ４１２）。なお、格納するメモリはＣＰＵ１がプログラム実行時に使用するＲＡＭ４の一部の領域を使用することも可能である。
【００６０】
これらの一連の処理を行っている間、セットキー１５２の状態を監視する。セットキー１５２が押下されると（ステップＳ４１３）、音声符号化処理を終了し、ステップＳ４０４で行った留守番電話機能の起動禁止を解除する（ステップＳ４１６）。
【００６１】
続いて、音声多重化処理を開始する。具体的には、ユーザーがステップＳ４０８で選択した写真データをメモリカードから読み込む（ステップＳ４１７）。読み込んだ画像データを印刷用データに変換する時に、情報多重化処理部１５内のメモリに格納した音声データを読み出し、音声データの値に応じて誤差拡散処理の量子化閾値を切り替える。この処理を繰り返すことにより、音声データを多重化した印刷用データを生成することができる（ステップＳ４１８）。
【００６２】
印刷用データが生成されると、音声データが多重化された印刷用データをインクジェットヘッドに送出し、印刷を実行する（ステップＳ４１９）。
【００６３】
なお、ステップＳ４１３でセットキー１５２を監視している時、セットキー１５２が押されるまでの間に録音可能時間である２０秒が経過すると（ステップＳ４１４）、「録音可能時間を超えました」と表示して（ステップＳ４１５）、ステップＳ４０９に戻る。なお、録音可能時間としては、メモリ容量などの条件に応じて２０秒以外の時間を設定できるのはいうまでもなく、また、その時々のメモリ残量などの条件に応じて動的に制御してもよい。
【００６４】
上記の図４（ａ）の処理においては、図１（ｄ）の経路（１）で音声データが取り込まれ、多重化され、印刷される。
【００６５】
一方、ステップＳ４０１において音声多重印刷機能が起動されない場合には、留守番電話の応答メッセージ（ＯＧＭ）録音機能が起動されるかどうかを確認する（ステップＳ４０２）。
【００６６】
留守番電話の応答メッセージ録音が指定されると図４（ｂ）のステップＳ４２１以降の処理を実行する。
【００６７】
操作部６の録音ボタンが押下されて留守番電話の応答メッセージ録音機能が起動されると、音声多重印刷機能の起動を禁止する（ステップＳ４２１）。音声多重印刷機能の起動を禁止している間は、留守番電話の応答メッセージ録音中にユーザーが音声多重印刷機能を起動しようとすると、警告音を鳴らし、音声多重印刷を行えないことをユーザーに通知する。
【００６８】
さらに、ＡＤＰＣＭ符号化部１３とＡＤＰＣＭ復号化部２１がそれぞれフラッシュメモリ１４に接続されるように、音声データ切り替え部１６及び２０の接続設定を切り替える（ステップＳ４２２）。
【００６９】
続いて、「セットキーを押すと録音を開始します」と表示部５に表示する（ステップＳ４２３）。
【００７０】
セットキー１５２が押下されると（ステップＳ４２４）、ハンドセット１２から入力される音声の符号化処理を開始する（ステップＳ４２５）。ハンドセット１２から入力された音声は、アナログ信号切り替え回路８を経由してＡＤＰＣＭ符号化部１３に入力される。ＡＤＰＣＭ符号化部１３においては、入力された音声信号を８ＫＨｚの周波数でサンプリングしてデジタル符号化して６４ｋｂｐｓのデータを生成する。さらに生成したデータを圧縮して１６ｋｂｐｓのＡＤＰＣＭデジタル符号化データを生成する。
【００７１】
応答メッセージ録音機能が起動している時は、音声データ切り替え部１６に入力される音声データはフラッシュメモリ１４に格納される（ステップＳ４２６）。
【００７２】
セットキー１５２が押下されると（ステップＳ４２７）、音声多重印刷の禁止を解除し（ステップＳ４２８）、応答メッセージの録音が完了する。また、ステップＳ４１４と同様に録音中は録音可能時間をチェック（ステップＳ４２９）し、録音可能時間をオーバーした場合はステップＳ４１５同様のエラー表示を行なう（ステップＳ４３０）。
【００７３】
上記の図４（ｂ）の処理においては、図１（ｄ）の経路（２）で音声データが取り込まれ、フラッシュメモリ１４に格納される。
【００７４】
また、図４（ａ）のステップＳ４０２において応答メッセージ録音機能が起動されない場合には、回線からの着信を受け付けて留守番電話メッセージの録音を行う必要があるかどうかを監視する（ステップＳ４０３）。留守番電話録音機能を起動する必要がない場合にはステップＳ４０１に戻って、音声多重印刷モードの起動の有無を監視する。
【００７５】
ステップＳ４０３において、留守番電話録音機能を起動する必要があるか否かは、例えば回線からの着信を受け付けて所定の回数の呼び出し音を鳴動した後でもハンドセット１２がオフフックされない、といった事象を検出することにより判定する。留守番電話メッセージ録音機能を起動する場合には、図４（ｃ）の処理を実行する。
【００７６】
留守番電話メッセージ録音においては、まず、音声多重印刷機能の起動を禁止する（ステップＳ４３１）。
【００７７】
さらに、ＡＤＰＣＭ符号化部１３とＡＤＰＣＭ復号化部２１がそれぞれフラッシュメモリ１４に接続されるように、音声データ切り替え部１６及び２０の接続設定を切り替える（ステップＳ４３２）。
【００７８】
フラッシュメモリ１４に格納されている応答メッセージを読み出し、ＡＤＰＣＭ復号化部２１で復号化してアナログ信号に変換し、アナログ信号切り替え回路８、回線インターフェイス部１０を経由して、通信回線１１に応答メッセージを送出する（ステップＳ４３３）。
【００７９】
応答メッセージの送出が終了して録音可能な状態になると（ステップＳ４３４）、それ以降に通信回線から受信する音声の録音を開始する。
【００８０】
具体的には、通信回線１１から受信した音声をアナログ信号切り替え回路８経由でＡＤＰＣＭ符号化部１３に入力し、先の応答メッセージ録音の時と同様に１６ｋｂｐｓのＡＤＰＣＭ符号化データを生成し（ステップＳ４３５）、生成したデータをフラッシュメモリ１４に格納する（ステップＳ４３６）。
【００８１】
メッセージを送出している相手が通信回線１１を切断して通信回線１１からリオーダートーンを受信する（ステップＳ４３７）か、録音可能時間が経過する（ステップＳ４３８）と、録音動作を終了する（ステップＳ４３９）。続いて、音声多重印刷の禁止を解除し（ステップＳ４４０）、通信回線１１との接続を切り（ステップＳ４４１）、留守番電話メッセージ録音動作を終了する。
【００８２】
上記の図４（ｃ）の処理においては、図１（ｄ）の経路（３）で通信回線１１から音声データが取り込まれ、留守録音メッセージとしてフラッシュメモリ１４に格納される。
【００８３】
以上のようにして、多重化印刷する音声データ、留守番電話応答メッセージ、留守番電話メッセージの取り込みに共通の音声処理手段を共用することができ、安価なハードウェアコストで装置を構成できる。また、ハンドセット１２を用いて簡単な操作で音声データを取り込んで、写真データに多重化して印刷することができる。
【００８４】
次に、上記のようにして音声が多重化印刷された印刷物から音声メッセージを再生する動作、および録音された留守番電話メッセージを再生する動作を図５に沿って説明する。
【００８５】
操作部６でスキャナキー１３９が押下されスキャナモードが設定された状態でメニューキー１４３が押下されると、表示部には「Ｓｃａｎ  ｔｏ  Ｓｐｅａｋｅｒ」、「Ｓｃａｎ  ｔｏ  ＰＣ」、「Ｓｃａｎ  ｔｏ  Ｍｅｍｏｒｙ」と表示される。
【００８６】
ここでユーザーが十字キー１５３を使って「Ｓｃａｎ  ｔｏ  Ｓｐｅａｋｅｒ」を選択し、セットキー１５２が押下されると、印刷物に多重化された音声を抽出してスピーカに出力する音声読み出し機能が起動する（ステップＳ５０１）。
【００８７】
音声読み出し機能が起動すると、ＡＤＰＣＭ復号化部２１の競合を防ぐために留守番電話機能の起動を禁止する（ステップＳ５０２）。
【００８８】
さらに、ＡＤＰＣＭ符号化部１３とＡＤＰＣＭ復号化部２１がそれぞれ情報多重化処理部１５と情報抽出部１９に接続されるように、音声データ切り替え部１６及び２０の接続設定を切り替える（ステップＳ５０３）。
【００８９】
続いて、読み取り処理部１８を作動させて読み取り動作を開始する（ステップＳ５０４）。読み取った画像データを直交変換した後の電力分布状態に基づいて、画像ブロックごとに多重化されているデータが１であるか０であるかを判定し、多重化されているデータを抽出する（ステップＳ５０５）。
【００９０】
抽出されたデータは、音声データ切り替え部２０を経由してＡＤＰＣＭ復号化部２１に入力され、アナログ信号に変換される（ステップＳ５０６）。アナログ信号に変換された音声データは、アナログ信号切り替え回路８を経由してスピーカ２２に出力される（ステップＳ５０７）。
【００９１】
多重化されていた音声の出力が終了すると、留守番電話機能の起動禁止を解除し（ステップＳ５０８）、多重化されていた音声の再生動作が終了する。
【００９２】
一方、ステップＳ５０１において音声読み出し機能が起動されない場合には、留守番電話メッセージの再生機能の起動を監視する。操作部６の再生キー１６０が押下されて留守番電話メッセージの再生機能が起動されると（ステップＳ５０９）、ＡＤＰＣＭ復号化部２１の競合を防ぐために音声読み出し機能の起動を禁止する（ステップＳ５１０）。
【００９３】
さらに、ＡＤＰＣＭ符号化部１３とＡＤＰＣＭ復号化部２１がそれぞれフラッシュメモリ１４に接続されるように、音声データ切り替え部１６及び２０の接続設定を切り替える（ステップＳ５１１）。そしてフラッシュメモリ１４に格納されている留守番電話メッセージを読み出す（ステップＳ５１２）。
【００９４】
読み出した音声は音声データ切り替え部２０を経由してＡＤＰＣＭ復号化部２１に入力され、アナログ信号に変換される（ステップＳ５１３）。アナログ信号に変換された音声データは、アナログ信号切り替え回路８を経由してスピーカ２２に出力される（ステップＳ５１４）。
【００９５】
録音されていた留守番電話メッセージの再生が終了すると、音声読み出し機能の起動禁止を解除し（ステップＳ５１５）、留守番電話メッセージの再生動作を終了する。
【００９６】
以上のようにして、音声が多重化印刷された印刷物から音声メッセージを再生し、また、録音された留守番電話メッセージを再生することができる。この再生処理により、上述のようにして作成された音声データ付きの年賀状から音声メッセージを再生する、などの用途に利用することができる。
【００９７】
以上のように、音声のデジタル符号化／復号化回路を追加することなく、留守番電話録音機能と音声多重化印刷機能、留守番電話再生機能と多重化音声再生機能を両立させることができる。多重化印刷する音声データ、留守番電話応答メッセージ、留守番電話メッセージの取り込みには共通の音声処理手段を共用することができ、安価なハードウェアコストで装置を構成できる。
【００９８】
なお、以上の説明においては、ＡＤＰＣＭ符号化部１３とフラッシュメモリ１４や情報多重化処理部１５との間のデータ転送はＣＰＵ１の介在なしに行なうことを前提とした。しかしながら、ＡＤＰＣＭ符号化されたデータをＣＰＵ１が読み出し、ＣＰＵ１の制御によってデータバス経由でフラッシュメモリ１４や情報多重化処理部１５に転送しても同様の効果を得ることができるのはいうまでもない。また、音声を再生するパスにおいても、ＣＰＵ１の制御によりデータバス経由でデータを転送しても同様の効果を得ることができる。
【実施例２】
【００９９】
上記の実施例１は、印刷装置の第１のモードの音声通信データの入出力動作として、特に留守番電話応答メッセージ録音動作、および留守番電話メッセージ録音動作を例示した。そして、実施例１はこのような音声通信データの入出力に用いるデジタル符号化手段を多重化印刷に利用する構成であった。すなわち、上記実施例１は、元々留守番電話用に設けられたデジタル符号化手段を利用して音声の多重化印刷を実現できるようにした構成、とも考えることができる。
【０１００】
しかしながら、音声通信手段により行なわる音声通信データの入出力は、上記のような留守番電話動作に関して限定されるものではなく、他の音声通信データの入出力に用いられるデジタル符号化手段を利用する構成も考えられる。
【０１０１】
例えば、図２（ａ）に示すように、印刷装置２３１がデジタルコードレス電話の親機機能を有し、デジタルコードレス電話機２３２との間でデジタル無線通信を行うことができる場合、デジタルコードレス電話機用として使用するデジタル符号化回路を音声データの多重化に利用することができる。
【０１０２】
図２（ａ）において、符号２３３は２．４ＧＨｚデジタル無線通信回線、２３４は公衆通信回線である。デジタルコードレス電話機２３２は２．４ＧＨｚデジタル無線通信回線２３３を経由して親機機能を有する印刷装置２３１と接続し、さらに公衆通信回線２３４を経由して、通話を行うことができる。
【０１０３】
図２（ｂ）は、上記のデジタルコードレス電話機２３２の制御回路の構成を示している。
【０１０４】
同図において、符号２６１はＣＰＵ、２６２はデータバス、２６３はＲＯＭ、２６４はＲＡＭ、２６５は表示部、２６６は無線高周波部、２６７はデジタル無線信号処理部、２６８はＡＤＰＣＭ符号化部、２６９はＡＤＰＣＭ復号化部、２７０はマイク、２７１はスピーカである。
【０１０５】
図２（ｃ）はデジタルコードレス電話機２３２と協働するデジタルコードレス電話機能を有する印刷装置２３１の制御回路を示している。同図において、実施例１の印刷装置とはデジタル無線信号処理部５４と無線高周波部５５の部分が異なっている。デジタル無線信号処理部５４、および無線高周波部５５はデジタルコードレス電話機２３２との通信を行なうためのものである。図２（ｃ）のその他の構成は実施例１の印刷装置と同じで、図１（ｃ）、図１（ｄ）と同様の参照符号を用いている。
【０１０６】
図２（ｄ）は、図１（ｄ）と同様の様式で、ハンドセットから入力された音声を多重化印刷する場合（１）と、通信回線１１から受信した音声をデジタルコードレス電話機２３２に送信する場合（２）の音声データの流れを示している。
【０１０７】
以下、図６のフローチャートに沿って本実施例における通信制御を説明する。図６では、図４（ａ）の４００番台のステップに相当するステップには６００番台の参照符号を用い、その詳細な説明は省略するものとする。
【０１０８】
図６において、ステップＳ６０１〜ステップＳ６１９の動作は、留守番電話機能の禁止設定と解除を行わない点を除けば実施例１、図４（ａ）のステップＳ４０１〜ステップＳ４１９の動作と同じである。すなわち、ステップＳ６０１〜ステップＳ６１９により、ハンドセット１２（または通信回線１１）から入力された音声の多重化印刷を行うことができる。
【０１０９】
一方、ステップＳ６０１において音声多重印刷モードが起動されない場合、デジタルコードレス通話の起動を監視する（ステップＳ６２０）。
【０１１０】
ステップＳ６２０で、デジタルコードレス電話機２３２からの発信要求を受信したり、通信回線からの着信を検出したりすると、デジタルコードレス通話機能が起動される。
【０１１１】
この時点で、音声多重印刷モードが起動しているかどうかを確認し（ステップＳ６２１）、音声多重印刷モードが起動している場合には音声多重印刷モードを強制終了させる（ステップＳ６２２）。すなわち、デジタルコードレス通話を行う時にはＡＤＰＣＭ符号化部１３とＡＤＰＣＭ復号化部２１を使用する必要があるため、それらを使用する音声多重印刷モードを終了する。
【０１１２】
さらに、ＡＤＰＣＭ符号化部１３とＡＤＰＣＭ復号化部２１がデジタル無線信号処理部５４に接続されるように、音声データ切り替え部１６及び２０の接続設定を切り替える（ステップＳ６２３）。
【０１１３】
ＡＤＰＣＭ符号化部１３とＡＤＰＣＭ復号化部２１を使用できる状態になると、通話が開始される（ステップＳ６２４）。デジタルコードレス電話機２３２では、マイク２７０から入力された音声はＡＤＰＣＭ符号化され、デジタル無線信号処理部２６７においてフレームに組み立てられた上で、無線高周波部２６６を介して２．４ＧＨｚの無線信号に変調されて送出される。
【０１１４】
印刷装置２３１においては、無線高周波部５５においてデジタルコードレス電話機２３２から受信した電波を復調し、デジタル無線信号処理部５４でフレーム分解する。フレーム分解して音声データを抽出し、音声データ切り替え部２０を経由してＡＤＰＣＭ復号化部２１に入力して復号する。復号化された音声はアナログ信号切り替え回路８により通信回線インターフェイス部１０に入力され、通信回線１１に送出される。
【０１１５】
逆に、通信回線１１から受信された音声信号は、ＡＤＰＣＭ符号化部１３に入力されて符号化された上で、音声データ切り替え部１６を経由してデジタル無線信号処理部５４でフレームに組み立てられ、無線高周波部５５から送出される。デジタルコードレス電話機２３２では、無線高周波部２６６で受信した信号をデジタル無線信号処理部２６７でフレームから取り出し、ＡＤＰＣＭ復号化部２６９で復号化し、スピーカ２７１で再生する。
【０１１６】
通話終了は相手側からの回線切断、あるいはデジタルコードレス電話機２３２で不図示の切断ボタンなどの操作を検出することにより判定する（ステップＳ６２５）。
【０１１７】
以上のようにして、コストアップにつながる回路追加を伴うことなく、デジタルコードレス電話機能と音声多重化印刷を実現することが可能になる。デジタルコードレス電話機能に必要な音声入出力、および音声多重化印刷には共通の音声処理手段を共用することができ、安価なハードウェアコストで装置を構成できる。
【０１１８】
なお、多重化印刷された音声データの再生は、読み取り処理部１８、情報抽出部１９を用いて実施例１と同様に行なうことができる。
【実施例３】
【０１１９】
実施例２においては、印刷装置に内蔵されているデジタル符号化回路を用いて、ハンドセット１２（または通信回線１１）から入力された音声の多重化印刷を行った。しかしながら、デジタルコードレス電話機２３２から入力された音声を多重化し印刷することも可能である。
【０１２０】
本実施例のシステム構成は、図２（ａ）、図２（ｂ）および図２（ｃ）と同様であるものとする。
【０１２１】
図３は実施例３における音声データの流れを示している。図３は、図１（ｄ）、図２（ｄ）と同様の様式で、デジタルコードレス電話機２３２から受信した音声を印刷データに多重化する場合（１）と、デジタルコードレス電話機２３２から受信した音声を通信回線に送出する場合（２）の音声データの流れを示している。さらに、図３は、印刷物から抽出した音声データをデジタルコードレス電話機２３２に送る場合（３）の音声データの流れも示している。
【０１２２】
図７は本実施例３における通信制御を示している。図７では、図６の６００番台のステップに相当するステップには７００番台の参照符号を用い、その詳細な説明は省略するものとする。
【０１２３】
図７では、ステップＳ７１１において無線回線を接続する処理を行うことを除けば、実施例２（図６）と同様の制御が行われる。図６の処理との大きな違いは、情報多重化を行う際のデジタル符号化処理をデジタルコードレス電話機２３２内で行うことである。
【０１２４】
すなわち、デジタルコードレス電話機２３２から送出された音声を受信した印刷装置２３１は、デジタル無線信号処理部２６７でフレーム分解してＡＤＰＣＭ符号化されている音声データを抽出する。抽出した音声データは、音声データ切り替え部１６を介して情報多重化処理部１５に入力され、多重化印刷される。
【０１２５】
さらに、本実施例によれば、音声が多重化された印刷物を読み取る時にも、印刷装置２３１のスピーカ２２で音声を再生するのではなく、デジタルコードレス電話機２３２に音声データを出力することができる。すなわち、読み取り処理部１８、情報抽出部１９で印刷物から抽出されたＡＤＰＣＭ符号化された音声データは、音声データ切り替え部２０を経由してデジタル無線信号処理部５４に入力され、そのままフレーム組み立てされて電波として送出される。
【０１２６】
デジタルコードレス電話機２３２では受信した音声データを上述と同様にしてＡＤＰＣＭ復号化し、再生する。このようにして、デジタルコードレス電話機２３２で印刷物に多重化されていた音声データを再生することができる。
【０１２７】
本実施例によれば、実施例１では実現することができなかった、留守番電話機能と音声多重化印刷機能の同時動作が可能になる。つまり、音声多重化印刷機能を動作させる際には印刷装置本体のＡＤＰＣＭ符号化／復号化部を使用することがない。かわりに、デジタルコードレス電話機の資源、すなわち、ＡＤＰＣＭ符号化／復号化部を使用するために、留守番電話機能との資源の競合が発生しないという効果を得ることができる。
【図面の簡単な説明】
【０１２８】
【図１（ａ）】本発明を実施した印刷装置の外観を示した説明図である。
【図１（ｂ）】図１の印刷装置の操作部の構成を示した説明図である。
【図１（ｃ）】本発明の第１の実施例における印刷装置の構成を示した説明図である。
【図１（ｄ）】本発明の第１の実施例におけるデータの流れを示した説明図である。
【図２（ａ）】本発明の第２の実施例におけるシステム構成を示した説明図である。
【図２（ｂ）】本発明の第２の実施例におけるデジタルコードレス電話機の構成を示した説明図である。
【図２（ｃ）】本発明の第２の実施例における印刷装置の構成を示した説明図である。
【図２（ｄ）】本発明の第２の実施例におけるデータの流れを示した説明図である。
【図３】本発明の第３の実施例におけるデータの流れを示した説明図である。
【図４（ａ）】本発明の第１の実施例における制御手順を示したフローチャートである。
【図４（ｂ）】本発明の第１の実施例における制御手順を示したフローチャートである。
【図４（ｃ）】本発明の第１の実施例における制御手順を示したフローチャートである。
【図５】本発明の第１の実施例において音声メッセージを再生する制御手順を示したフローチャートである。
【図６】本発明の第２の実施例における制御手順を示したフローチャートである。
【図７】本発明の第３の実施例における制御手順を示したフローチャートである。
【図８】従来の音声データ多重化印刷に必要な構成を示した説明図である。
【図９】従来の音声データ多重化印刷に必要な異なる構成を示した説明図である。
【符号の説明】
【０１２９】
７  メモリカードインターフェイス部
８  アナログ信号切り替え回路
１１  通信回線
１２  ハンドセット
１３  ＡＤＰＣＭ符号化部
１４  フラッシュメモリ
１５  情報多重化処理部
１６  音声データ切り替え部
１７  印刷処理部
２３１  印刷装置
２３２  デジタルコードレス電話機
２６１、８０１、９０１  ＣＰＵ
２６３、８０３、９０３  ＲＯＭ
２６４、８０４、９０４  ＲＡＭ
【図１（ａ）】
2008236564.tif 000003
【図１（ｂ）】
2008236564.tif 000004
【図１（ｃ）】
2008236564.tif 000005
【図１（ｄ）】
2008236564.tif 000006
【図２（ａ）】
2008236564.tif 000007
【図２（ｂ）】
2008236564.tif 000008
【図２（ｃ）】
2008236564.tif 000009
【図２（ｄ）】
2008236564.tif 000010
【図３】
2008236564.tif 000011
【図４（ａ）】
2008236564.tif 000012
【図４（ｂ）】
2008236564.tif 000013
【図４（ｃ）】
2008236564.tif 000014
【図５】
2008236564.tif 000015
【図６】
2008236564.tif 000016
【図７】
2008236564.tif 000017
【図８】
2008236564.tif 000018
【図９】
2008236564.tif 000019